【手続補正書】
【提出日】平成17年8月30日(2005.8.30)
【手続補正１】
【補正対象書類名】明細書
【補正対象項目名】発明の名称
【補正方法】変更
【補正の内容】
【発明の名称】制御装置およびカメラ
【手続補正２】
【補正対象書類名】明細書
【補正対象項目名】特許請求の範囲
【補正方法】変更
【補正の内容】
【特許請求の範囲】
【請求項１】データの書き換え単位及び記憶容量が異なる電気的にデータを書き換え可能な複数の不揮発性記憶手段を有し、
前記複数の不揮発性記憶手段は、当該制御装置に必要なデータを、その内容に応じて振り分けられて記憶していることを特徴とする制御装置。
【請求項２】当該制御装置のデータアクセス単位にほぼ等しい第１の書き換え単位で、電気的にデータを書き換え可能な第１の不揮発性記憶手段と、前記第１の書き換え単位より大きい第２の書き換え単位で、電気的にデータを書き換え可能な第２の不揮発性記憶手段とを有し、
前記第１と第２の不揮発性記憶手段は、当該制御装置に必要なデータを、その内容に応じて振り分けられて記憶していることを特徴とする制御装置。
【請求項３】前記第１の不揮発性記憶手段は、当該制御装置に必要な前記データのうち、当該制御装置の使用中に書き換えられるデータを記憶することを特徴とする請求項２記載の制御装置。
【請求項４】前記第１の不揮発性記憶手段は、当該制御装置に必要な前記データのうち、この種の制御装置個々に異なるデータを記憶することを特徴とする請求項２記載の制御装置。
【請求項５】前記第２の不揮発性記憶手段は、一度記憶すれば書き換えを不要とするデータを記憶することを特徴とする請求項２，３又は４記載の制御装置。
【請求項６】前記第２の不揮発性記憶手段は、前記第１の不揮発性記憶手段よりも記憶容量が大きく、書き換え可能回数は前記第１の不揮発性記憶手段よりも少ないことを特徴とする請求項２又は５記載の制御装置。
【請求項７】当該制御装置のデータアクセス単位にほぼ等しい第１の書き換え単位で、電気的にデータを書き換え可能なＥＥＰＲＯＭと、前記第１の書き換え単位より大きい第２の書き換え単位で、電気的にデータを書き換え可能なフラッシュメモリの、少なくとも２種類の記憶手段を有し、前記ＥＥＰＲＯＭ及びフラッシュメモリは、当該制御装置の制御に必要なデータを格納しており、
前記ＥＥＰＲＯＭは、前記データの中で、当該制御装置の使用中に書き換えられるデータを記憶することを特徴とする制御装置。
【請求項８】当該制御装置のデータアクセス単位にほぼ等しい第１の書き換え単位で、電気的にデータを書き換え可能なＥＥＰＲＯＭと、前記第１の書き換え単位より大きい第２の書き換え単位で、電気的にデータを書き換え可能なフラッシュメモリの、少なくとも２種類の記憶手段を有し、前記ＥＥＰＲＯＭ及びフラッシュメモリは、当該制御装置の制御に必要なデータを格納しており、
前記ＥＥＰＲＯＭは、前記データの中で、この種の制御装置毎に異なるデータを記憶することを特徴とする制御装置。
【請求項９】前記フラッシュメモリは、一度記憶すれば書き換えを不要とするデータを記憶することを特徴とする請求項７又は８記載の制御装置。
【請求項１０】前記フラッシュメモリは、前記ＥＥＰＲＯＭよりも記憶容量が大きく、書き換え可能回数は前記ＥＥＰＲＯＭよりも少ないことを特徴とする請求項７〜９のいずれかに記載の制御装置。
【請求項１１】当該制御装置の使用中に書き換えられるデータとは、当該制御装置を使用する使用者の個人差データであることを特徴とする請求項３又は７記載の制御装置。
【請求項１２】前記この種の制御装置毎に異なるデータとは、制御装置毎に調整を行って得られる調整データであることを特徴とする請求項４又は８記載の制御装置。
【請求項１３】請求項１，２，７又は８記載の制御装置を有することを特徴とするカメラ。
【手続補正３】
【補正対象書類名】明細書
【補正対象項目名】０００１
【補正方法】変更
【補正の内容】
【０００１】
【発明の属する利用分野】本発明は、複数の不揮発性記憶手段を有する制御装置および当該制御装置を有するカメラの改良に関するものである。
【手続補正４】
【補正対象書類名】明細書
【補正対象項目名】００１１
【補正方法】変更
【補正の内容】
【００１１】
（発明の目的）本発明の第１の目的は、大容量でデータの書き換え単位の大きいものと、データの書き換え単位が小さく、小さいデータ単位の書き換えが容易であるが、全体の記憶容量が大きくないという、異なる不揮発性記憶手段を効率的に使用することのできる制御装置およびカメラを提供しようとするものである。
【手続補正５】
【補正対象書類名】明細書
【補正対象項目名】００１２
【補正方法】変更
【補正の内容】
【００１２】
本発明の第２の目的は、データの書き換え回数が多い為に第２の不揮発性記憶手段の信頼性が劣化し、該装置の寿命が短くなるといったことを防止すると共に、第１の不揮発性記憶手段のみを有する場合に比べて大容量のデータを格納することのできる制御装置およびカメラを提供しようとするものである。
【手続補正６】
【補正対象書類名】明細書
【補正対象項目名】００１３
【補正方法】変更
【補正の内容】
【００１３】
本発明の第３の目的は、データの書き換え回数が多い為にフラッシュメモリの信頼性が劣化し、該装置の寿命が短くなるといったことを防止すると共に、ＥＥＰＲＯＭのみを有する場合に比べて大容量のデータを格納することができ、しかも構成部品の一部の変更に伴うデータの変更を容易に行うことのできる制御装置およびカメラを提供しようとするものである。
【手続補正７】
【補正対象書類名】明細書
【補正対象項目名】００１４
【補正方法】変更
【補正の内容】
【００１４】
【課題を解決するための手段】上記第１の目的を達成するために、請求項１記載の本発明は、データの書き換え単位及び記憶容量が異なる電気的にデータを書き換え可能な複数の不揮発性記憶手段を有し、前記複数の不揮発性記憶手段は、当該制御装置に必要なデータを、その内容に応じて振り分けられて記憶している制御装置とするものである。
【手続補正８】
【補正対象書類名】明細書
【補正対象項目名】００１５
【補正方法】変更
【補正の内容】
【００１５】
また、上記第２の目的を達成するために、請求項２〜６，１１及び１２記載の本発明は、当該制御装置のデータアクセス単位にほぼ等しい第１の書き換え単位で、電気的にデータを書き換え可能な第１の不揮発性記憶手段と、前記第１の書き換え単位より大きい第２の書き換え単位で、電気的にデータを書き換え可能な第２の不揮発性記憶手段とを有し、前記第１と第２の不揮発性記憶手段は、当該制御装置に必要なデータを、その内容に応じて振り分けられて記憶している制御装置とするものである。
【手続補正９】
【補正対象書類名】明細書
【補正対象項目名】００１７
【補正方法】変更
【補正の内容】
【００１７】
また、上記第３の目的を達成するために、請求項７，９及び１０記載の本発明は、当該制御装置のデータアクセス単位にほぼ等しい第１の書き換え単位で、電気的にデータを書き換え可能なＥＥＰＲＯＭと、前記第１の書き換え単位より大きい第２の書き換え単位で、電気的にデータを書き換え可能なフラッシュメモリの、少なくとも２種類の記憶手段を有し、前記ＥＥＰＲＯＭ及びフラッシュメモリは、当該制御装置の制御に必要なデータを格納しており、前記ＥＥＰＲＯＭは、前記データの中で、当該制御装置の使用中に書き換えられるデータを記憶する制御装置とするものである。
【手続補正１０】
【補正対象書類名】明細書
【補正対象項目名】００１８
【補正方法】変更
【補正の内容】
【００１８】
同じく上記第３の目的を達成するために、請求項８，９及び１０記載の本発明は、当該制御装置のデータアクセス単位にほぼ等しい第１の書き換え単位で、電気的にデータを書き換え可能なＥＥＰＲＯＭと、前記第１の書き換え単位より大きい第２の書き換え単位で、電気的にデータを書き換え可能なフラッシュメモリの、少なくとも２種類の記憶手段を有し、前記ＥＥＰＲＯＭ及びフラッシュメモリは、当該制御装置の制御に必要なデータを格納しており、前記ＥＥＰＲＯＭは、前記データの中で、この種の制御装置毎に異なるデータを記憶する制御装置とするものである。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
同じく上記第１，第２又は第３の目的を達成するために、請求項１３記載の本発明は、請求項１，２，７又は８記載の制御装置を有するカメラとするものである。
【手続補正１３】
【補正対象書類名】明細書
【補正対象項目名】００２１
【補正方法】削除
【補正の内容】
【手続補正１４】
【補正対象書類名】明細書
【補正対象項目名】００７２
【補正方法】変更
【補正の内容】
【００７２】
前記測光回路１０２は、測光センサ１０からの信号を増幅後、対数圧縮，Ａ／Ｄ変換し、その結果を各センサの輝度情報としてＣＰＵ１００に送信する。前記測光センサ１０は、図４に示したファインダ視野内の左側の焦点検出領域点２００，２０１を含む左領域２１０を測光するＳＰＣ−Ｌと、焦点検出領域点２０２を含む中央領域２１１を測光するＳＰＣ−Ｃと、右側の焦点検出領域点２０３、２０４を含む右側領域２１２を測光するＳＰＣ−Ｒと、これらの周辺領域２１３を測光するＳＰＣ−Ａの、４つの領域を測光するフォトダイオードから構成されている。
【手続補正１５】
【補正対象書類名】明細書
【補正対象項目名】００７３
【補正方法】変更
【補正の内容】
【００７３】
図５のラインセンサ６ｆは、前述の図４に示すように、画面内の５つの焦点検出領域点２００〜２０４に対応した５組のラインセンサＣＣＤ−Ｌ２，ＣＣＤ−Ｌ１，ＣＣＤ−Ｃ，ＣＣＤ−Ｒ１，ＣＣＤ−Ｒ２から構成される公知のＣＣＤラインセンサである。前記焦点検出回路１０３は、上記のラインセンサ６ｆから得た電圧をＡ／Ｄ変換し、ＣＰＵ１００に送る。
【手続補正１６】
【補正対象書類名】明細書
【補正対象項目名】００８４
【補正方法】変更
【補正の内容】
【００８４】
良好な眼球像を得るためには、適切な照明光と適切な蓄積制御が必要である。適切な照明光を照射するためにはＩＲＥＤの個体バラツキを考慮したＩＲＥＤ駆動を行わなければならない。そこで、視線検出装置個々にＩＲＥＤの駆動電流を調整し、適切なＩＲＥＤ駆動電流をＥＥＰＲＯＭ用パラメータとして記憶しておき、その電流値に従ってＩＲＥＤ制御を行う。蓄積時間及び読み出しゲインの制御は、共通のコントロールテーブルデータをフラッシュメモリ１００ｂに記憶しておく。一例を図８に示す。この図は、その時の明るさに対して、蓄積時間と読み出しゲインを決定するものである。例えば、明るさが「１６」を超え、「２４」以下の場合、蓄積時間は
５２× 0.1ｍｓ＝ 5.2ｍｓ
で、１０倍のゲインで読み出す。イメージセンサの個体バラツキについては、図８の蓄積時間に対する補正係数（例えば、図８の蓄積時間に対しての1.2 倍にするとか、 0.8倍にするというデータ）や、センサの暗電流成分補正パラメータをＥＥＰＲＯＭ１００ａに記憶しておくようにする。
【手続補正１７】
【補正対象書類名】明細書
【補正対象項目名】００９９
【補正方法】変更
【補正の内容】
【００９９】
フラッシュメモリ１００ｂとＥＥＰＲＯＭ１００ａを不揮発性記憶手段として有し、それぞれに記憶するデータを、その内容に応じて振り分けるようにしているため、フラッシュメモリの大容量で書き換え単位も大きいという特性と、ＥＥＰＲＯＭの書き換え単位が小さく、小さいデータ単位の書き換えが容易であるが、全体の容量が大きくないという特性の、それぞれ２つの良いところを有効に使った視線検出装置や焦点検出装置、さらにはカメラ、その他の制御装置を実現できる。
【手続補正１８】
【補正対象書類名】明細書
【補正対象項目名】０１０５
【補正方法】変更
【補正の内容】
【０１０５】
【発明の効果】以上説明したように、本発明によれば、大容量でデータの書き換え単位の大きいものと、データの書き換え単位が小さく、小さいデータ単位の書き換えが容易であるが、全体の記憶容量が大きくないという、異なる不揮発性記憶手段を効率的に使用することができる制御装置およびカメラを提供できるものである。
【手続補正１９】
【補正対象書類名】明細書
【補正対象項目名】０１０６
【補正方法】変更
【補正の内容】
【０１０６】
また、本発明によれば、データの書き換え回数が多い為に第２の不揮発性記憶手段の信頼性が劣化し、該装置の寿命が短くなるといったことを防止すると共に、第１の不揮発性記憶手段のみを有する場合に比べて大容量のデータを格納することができる制御装置およびカメラを提供できるものである。
【手続補正２０】
【補正対象書類名】明細書
【補正対象項目名】０１０７
【補正方法】変更
【補正の内容】
【０１０７】
また、本発明によれば、データの書き換え回数が多い為にフラッシュメモリの信頼性が劣化し、該装置の寿命が短くなるといったことを防止すると共に、ＥＥＰＲＯＭのみを有する場合に比べて大容量のデータを格納することができ、しかも構成部品の一部の変更に伴うデータの変更を容易に行うことができる制御装置およびカメラを提供できるものである。